(57)【要約】【課題】本発明の目的は、尿レシーバからの尿回収率を向上させ、小型かつ軽量化できる自動排尿処理装置およびそれに用いる尿レシーバを提供することにある。【解決手段】表面シート２に排泄された尿を吸尿する多孔吸尿シートと支持シートの間に吸尿空間形成シートを配置した尿レシーバ１を装着者に装着する。尿レシーバ１を導尿チューブ１０、１１を介して密閉されている尿タンク２１に接続する。尿タンク２１内の空気を真空ポンプ２３で吸引することにより尿レシーバ１から尿を尿タンク２１に導くようにする。【選択図】  図１
2005000364.tif 000002
【特許請求の範囲】
【請求項１】
表面シートに排泄される尿を吸尿する多孔吸尿シートと支持シートの間に吸尿空間形成シートが配置されている尿レシーバと、密閉されている尿タンクと、前記支持シートに穿設されている導尿口から前記尿タンクに尿を導く導尿チューブと、前記尿タンク内の圧力を低下させる真空ポンプとを具備することを特徴とする自動排尿処理装置。
【請求項２】
表面シートに排泄される尿を吸尿する多孔吸尿シートと非通水性の支持シートの間に吸尿空間形成シートが配置されている尿レシーバと、密閉されている尿タンクと、前記支持シートに穿設されている導尿口から前記尿タンクに尿を導く導尿チューブと、前記尿タンク内の空気を吸引する真空ポンプとを具備することを特徴とする自動排尿処理装置。
【請求項３】
通水性の表面シートに排泄される尿を吸尿する多数の吸尿孔が穿設されている多孔吸尿シートと非通水性、非通気性の支持シートの間に吸尿空間形成シートが配置されている尿レシーバと、密閉されている尿タンクと、前記支持シートに穿設されている導尿口から前記尿タンクに尿を導く導尿チューブと、前記尿タンク内の圧力を低下させて前記支持シートに穿設されている導尿口から前記尿タンクに尿を吸引する真空ポンプと、前記尿レシーバに尿が排泄されたことを検知し前記真空ポンプを起動させるための尿センサとを具備することを特徴とする自動排尿処理装置。
【請求項４】
難通気性の表面シートに排泄される尿を吸尿する多数の吸尿孔が穿設されている多孔吸尿シートと非通水性、非通気性の支持シートの間に吸尿空間形成シートが配置されている尿レシーバと、蓋により密閉されている尿タンクと、前記支持シートに穿設されている導尿口から前記尿タンクに前記蓋を通して尿を導く導尿チューブと、前記尿タンク内の圧力を低下させ前記多孔吸尿シートの吸尿孔を負圧にして前記尿タンクに尿を吸引する真空ポンプと、前記表面シートに尿が排泄されたことを検知し前記真空ポンプを起動させるための尿センサとを具備することを特徴とする自動排尿処理装置。
【請求項５】
通水性、難通気性の表面シートに排泄される尿を吸尿する多数の吸尿孔が穿設されている多孔吸尿シートと非通水性、非通気性の支持シートの間に繊維質の吸尿空間形成シートが配置されている尿レシーバと、蓋により密閉されている尿タンクと、前記支持シートに穿設されている導尿口から前記尿タンクに前記蓋を通して尿を導き、ジョイントにより接続されている導尿チューブと、前記尿タンク内の圧力を低下させて前記吸尿空間形成シートの吸尿空間を負圧にして前記吸尿空間形成シートに流入した尿を前記尿タンクに吸引する真空ポンプと、前記表面シートに尿が吸収されたことを検知し前記真空ポンプを起動させるための尿センサとを具備することを特徴とする自動排尿処理装置。
【請求項６】
装着者の排尿部から排泄される尿を吸収する尿レシーバと、密閉されている尿タンクと、前記尿レシーバから前記尿タンクに尿を導く導尿チューブと、前記尿タンク内の圧力を低下させる真空ポンプと、前記尿レシーバに尿が吸入したことを検知し前記真空ポンプを起動させるための尿センサとを具備し、前記尿レシーバは、排泄される尿を吸尿する多孔吸尿シートと，前記多孔吸尿シートの表面を覆うように配置されている表面シートと、前記導尿チューブが接続される導尿口が穿設されている支持シートと、前記多孔吸尿シートの底面と前記支持シートの間に配置されている吸尿空間形成シートを有することを特徴とする自動排尿処理装置。
【請求項７】
装着者の排尿部から排泄される尿を吸収する尿レシーバと、密閉されている尿タンクと、前記尿レシーバから前記尿タンクに尿を前記蓋を通して導く導尿チューブと、前記尿タンク内の空気を吸引する真空ポンプと、前記尿レシーバに尿が吸入したことを検知し前記真空ポンプを起動させるための尿センサとを具備し、前記尿レシーバは、排泄される尿を吸尿する多数の吸尿孔が穿設されている多孔吸尿シートと，前記多孔吸尿シートの表面を覆うように配置されている難通気性の表面シートと、前記導尿チューブが接続される導尿口が穿設されている非通水性の支持シートと、前記多孔吸尿シートの底面と前記支持シートの間に配置されている吸尿空間形成シートを有することを特徴とする自動排尿処理装置。
【請求項８】
装着者の排尿部から排泄される尿を吸収する尿レシーバと、蓋により密閉されている尿タンクと、前記尿レシーバから前記尿タンクに尿を前記蓋を通して導く導尿チューブと、前記尿タンク内の空気を吸引する真空ポンプと、前記尿レシーバに尿が吸入したことを検知し前記真空ポンプを起動させるための尿センサとを具備し、前記尿レシーバは、排泄される尿を吸尿する多数の吸尿孔が穿設されている多孔吸尿シートと，前記多孔吸尿シートの表面を覆うように配置されている通水性、難通気性の表面シートと、前記多孔吸尿シートの裏面に密接配置されている吸尿空間を形成する吸尿空間形成シートと、前記吸尿空間形成シートを支持し、前記導尿チューブが接続される導尿口が穿設されている非通水性の支持シートと、前記表面シート、前記多孔吸尿シートおよび前記吸尿空間形成シートを支持している前記支持シートを保持する外皮シートを有することを特徴とする自動排尿処理装置。
【請求項９】
装着者の排尿部から排泄される尿を吸収する尿レシーバであって、排泄される尿を吸尿する多孔吸尿シートと，前記多孔吸尿シートの表面を覆うように配置されている表面シートと、前記多孔吸尿シートの裏面に密接配置されている吸尿空間形成シートと、前記吸尿空間形成シートを支持し、導尿口が穿設されている非通水性の支持シートを具備することを特徴とする尿レシーバ。
【請求項１０】
装着者の排尿部から排泄される尿を吸収する尿レシーバであって、排泄される尿を吸尿する非通水性の多孔吸尿シートと，前記多孔吸尿シートの表面を覆うように配置されている難通気性の表面シートと、前記多孔吸尿シートの裏面に密接配置されている吸尿空間形成シートと、前記吸尿空間形成シートを支持し、導尿口が穿設されている非通水性の支持シートを具備することを特徴とする尿レシーバ。
【請求項１１】
装着者の排尿部から排泄される尿を吸収する尿レシーバであって、排泄される尿を吸尿する多数の吸尿孔が穿設されている非通水性、非通気性の多孔吸尿シートと，前記多孔吸尿シートの表面を覆うように配置されている通水性、難通気性の表面シートと、前記多孔吸尿シートの裏面に密接配置されている吸尿空間形成シートと、前記吸尿空間形成シートを支持し、導尿口が穿設されている非通水性、非通気性の支持シートを具備することを特徴とする尿レシーバ。
【請求項１２】
装着者の排尿部から排泄される尿を吸収する尿レシーバであって、前記装着者の排尿部に接触する通水性、難通気性の表面シートと、前記表面シートによって表面を覆われ、排泄される尿を吸尿する多数の吸尿孔が穿設されている非通水性、非通気性の多孔吸尿シートと、前記多孔吸尿シートの裏面に密接配置され、繊維質材で形成されている吸尿空間形成シートと、前記吸尿空間形成シートを支持し、導尿口が穿設されている非通水性、非通気性の支持シートと、前記表面シート、前記多孔吸尿シートおよび前記吸尿空間形成シートを支持している前記支持シートを保持する外皮シートを具備することを特徴とする尿レシーバ。
【請求項１３】
装着者の排尿部から排泄される尿を吸収する尿レシーバであって、前記装着者の排尿部に接触する通水性、難通気性の表面シートと、前記表面シートによって表面を覆われ、排泄される尿を吸尿する多数の吸尿孔が穿設されている非通水性、非通気性の多孔吸尿シートと、前記多孔吸尿シートの裏面に密接配置され、繊維質材で形成されている吸尿空間形成シートと、前記吸尿空間形成シートを支持し、導尿口が穿設されている非通水性、非通気性の支持シートと、前記表面シート、前記多孔吸尿シートおよび前記吸尿空間形成シートを支持している前記支持シートを収納保持する外皮シートと、前記支持シートの縁部輪郭に沿って植立して設けられているギャザーとを具備することを特徴とする尿レシーバ。
【請求項１４】
装着者の排尿部から排泄される尿を吸収する尿レシーバであって、前記装着者の排尿部に接触し尿を吸収する通水性、難通気性の表面シートと、前記表面シートによって表面を覆われ、排泄される尿を吸尿する多数の吸尿孔が穿設されている非通水性、非通気性の多孔吸尿シートと、前記多孔吸尿シートの裏面に密接配置され、繊維材で形成されている吸尿空間形成シートと、前記吸尿空間形成シートを凹溝に嵌着支持し、導尿口が穿設されている非通水性、非通気性の支持シートと、前記表面シート、前記多孔吸尿シートおよび前記吸尿空間形成シートを支持している前記支持シートを収納保持する外皮シートと、前記支持シートと前記外皮シートの間に配置されている吸尿シートと、前記外皮シートの縁部輪郭に沿って植立して設けられているギャザーとを具備することを特徴とする尿レシーバ。
【発明の詳細な説明】
【０００１】
【発明の属する技術分野】
本発明は、寝たきり老人、入院患者、身障者、その他の自分の意志で排尿をコントロールしたり始末するのが困難な人に装着して排尿を処理する自動排尿処理装置およびそれに用いる尿レシーバに関する。
【０００２】
【従来の技術】
【特許文献１】特開平７−１７１１８２号公報
【特許文献２】特開平１１−１１３９４６号公報
人間は、老化、身体障害、怪我や病気での入院、その他様々な身体の状態によって、自分の意志で排尿をコントロールすることが困難になったり、また尿を自力での後始末が困難になることがある。このようになると、一般的には膀胱に管を直接挿入して採尿したり、紙おむつを使用するようにしている。
【０００３】
膀胱に直接管を挿入する場合には、使用者の不快感も大きく、また尿道や膀胱を傷つけたり感染症を引き起こす可能性が高いなど、専門的な知識と滅菌された専用の器具が無いと処理が困難になる。
【０００４】
また、紙おむつは、長時間装着すると尿漏れが起こったり、また装着者の不快感や、蒸れ、被れなどの皮膚疾患を生じることがある。そのため、頻繁な取替えが必要となり、装着者及び介護者の精神的、肉体的負担も多くなる。精神的、肉体的負担は日常生活の中でも非常に大きな割合を占め、その上、経済的な負担も大きくなる。
【０００５】
このような問題を解決するために、尿レシーバ本体に収納された吸水性厚肉シートの吸尿材に吸収された尿を真空ポンプによって吸引し尿タンクに導尿するようにしている。真空ポンプは密閉された尿タンク内の空気を吸引して大気圧との差圧により導尿チューブによって吸尿材に吸収された尿を尿タンクに導尿する。このような自動排尿処理装置は、例えば、上述の特許文献１、２に記載されている。
【０００６】
【発明が解決しようとする課題】
従来技術は吸尿材の一個所から尿を吸引するようにしているので、尿レシーバ（吸尿材）からの尿回収効率が低下する。このため、尿レシーバ（吸尿材）の残尿量が多くなり装着者に不快感を与えることになる。尿レシーバの残尿量を少なくするには真空ポンプの容量を大きくしなければならず、排尿処理装置自体の重量、容積が大きくならざるを得なくなる。
このように、従来技術は尿レシーバの残尿量が多くなり、残尿量を低減しようとすると排尿処理装置が大型かつ重くなるという問題点を有する。
【０００７】
本発明の目的は、尿レシーバからの尿回収率を向上させ、小型かつ軽量化できる自動排尿処理装置およびそれに用いる尿レシーバを提供することにある。
【０００８】
【課題を解決するための手段】
本発明の特徴とするところは、表面シートに排泄された尿を吸尿する多孔吸尿シートと支持シートの間に吸尿空間形成シートが配置されている尿レシーバを用い、支持シートに穿設されている導尿口から導尿チューブを介して密閉されている尿タンクに真空ポンプにより尿を導くようにしたことにある。
【０００９】
換言すると、本発明は通水性、難通気性の表面シートを表面に配置された多孔導尿シートと非通気性、非通水性の支持シートの間に吸尿空間形成シートによって吸尿空間を形成し、吸尿空間、つまり多孔吸尿シートに穿設されている多数の吸尿孔を負圧にして尿を吸引し、導尿チューブを介して尿タンクに尿を導くものである。
【００１０】
本発明に用いる尿レシーバは表面シートに排泄された尿を多孔吸尿シートに設けた多数の吸尿孔により吸引しているので、尿レシーバからの尿回収率が向上し尿レシーバの残尿量を低減できる。尿の回収率が向上すると吸引力の小さい小容量の真空ポンプで吸尿できる。したがって、尿レシーバが装着者に不快感を与えることなく尿を回収でき、その上、装置を小型かつ軽量化することができる。
【００１１】
【発明の実施の形態】
本発明の一実施例を図１〜６に示す。図１は本発明の自動排尿処理装置の全体構成図を示し、図２は尿レシーバの上面観の詳細構成図、図３は尿レシーバの底面観の詳細構成図、図４は尿レシーバの分解斜視図、図５は図２のＡ−Ａ拡大断面図、図６は尿レシーバを構成する支持シートの拡大平面図を示している。
【００１２】
図１〜６において、図示しない装着者の排尿部から排泄される尿を吸収する尿レシーバ１は図３に示されるように擂鉢形状に構成されており、装着者の股間に位置する長手方向（装着者の前後方向）の略中央部が図１〜４および図６に示すように幅が狭くなり絞られた形状に形成されている。尿レシーバ１の略中央部が絞られた形状にしているのは装着者の股間にフィットさせるためである。
【００１３】
尿レシーバ１は図４に示すように、表面シート２、多孔吸尿シート３、吸尿空間形成シート４、支持シート５、吸尿シート６、外皮シート７およびギャザー８により構成されている。表面シート２は通水性、難通気性の不織布、多孔吸尿シート３は非通水性、非通気性のビニール、吸尿空間形成シート４は水分を保持しない程度の目の粗い繊維質材、支持シート５は非通水性、非通気性の弾力性のあるポリエチレンシートやゴムやビニール、収尿シート６は通水性の不織布、綿状パルプ、高分子吸収材の組合せ形成材、外皮シート７とギャザー８は非通水性の不織布などで形成される。
【００１４】
外皮シート７は非通水性の薄肉シートで、例えば、ポリエチレンフィルムを素材にして構成されている。なお、外皮シート７は非通水性の部材であればよいが、長時間装着した時の蒸れ等に考慮した材質の部材を用いるのが望ましい。外皮シート７の外面（表面）はポリプロピレン不織布などの表面材（図示せず）がラミネートされ、柔らかな肌触りにして装着者の肌触りの不快感をなくすようにしている。また、外皮シート７の内面は撥水性を有するように表面処理が施されている。
【００１５】
外皮シート７には長手方向（装着者の前後方向）の輪郭に沿って図５に示すように外皮シート７の外形輪郭の内側に傾斜して植立した立体のギャザー８が形成されている。傾斜植立した立体ギャザー８は装着者の動作や体位移動などによる横漏れを防止する。また、外皮シート７には導尿チューブ１０が貫通する貫通孔７ａが穿設されている。
【００１６】
外皮シート７の表面（上面）には吸尿シート６が接着して配置されている。収尿シート６は支持シート５から自動回収しきれなかった尿を吸収するために設けられ、尿で装着者の衣服や寝具を汚したり肌面に尿が触れないように機能する。収尿シート６にも導尿チューブ１０が貫通する貫通孔６ａが穿設されている。
【００１７】
吸尿シート６の表面に支持シート５が接着して配置されている。支持シート５は吸尿空間形成シート４を嵌着する凹溝５ｂが形成され、また、凹溝５ｂの形成領域に導尿チューブ１０が接続される導尿口５ａが穿設されている。導尿口５ａは後述する多孔吸尿シート３に穿設される多数の吸尿孔３ａの略中央部に位置するように設けられる。
【００１８】
支持シート５は装着者の股間（排尿部）にフィットするエリアの両側面をたるませて、図５、図６に示すように尿の横漏れを防止する縁片５ｃを形成している。図６は凹溝５ｂに吸尿空間形成シート４を嵌着し、吸尿空間形成シート４の表面（上面）に多孔吸尿シート３を配置した状態を示している。支持シート５は発砲ポリエチレンなどの弾力性のある素材で構成される。
【００１９】
吸尿空間形成シート４は空隙を有する吸水性の無い繊維状骨格材料で形成され、支持シート５の凹溝５ｂに側面を接着して嵌着配置されている。吸尿空間形成シート４は尿の吸引空間（吸尿空間）となる空気層を多く確保するために粗い密度で形成され、その厚さは５〜１０ｍｍ程度である。吸尿空間形成シート４は支持シート５の凹溝５ｂに嵌着配置されており、吸尿空間形成シート４と支持シート５の両者の表面の隙間や段差を無くし尿溜まりを防止できる。
【００２０】
吸尿空間形成シート４の表面（上面）には多数の吸尿孔３ａが穿設されている多孔吸尿シート３が配置されている。吸尿空間形成シート４は多孔吸尿シート３の裏面（底面）に密接配置されている。多孔吸尿シート３は吸尿空間形成シート４と略同形状に構成され、図５に示すように輪郭周囲の下面を支持シート５に接着されている。このように多孔導尿シート３と支持シート５の間に吸尿空間形成シート４が配置されている構成になっている。
【００２１】
多孔吸尿シート３の吸尿孔３ａは尿の回収効率を向上させるために排尿部周辺および座位や仰臥位での排尿による尿の廻り込みに対応するために臀部付近まで多数穿設されている。吸尿孔３ａは尿回収に必要な箇所に粗密をつけて配置されている。また、吸尿孔３ａは排尿部付近の径を大きくする等、尿を取り込む位置に応じて径を変えることもできる。
【００２２】
多孔吸尿シート３の表面に表面シート２が配設され、また、表面シート２と多孔吸尿シート３の間に尿センサ９が設けられている。多孔吸尿シート３の表面は難通気性の表面シート２によって覆われている。装着者から排泄される尿は表面シート２から多孔吸尿シート３の吸尿孔３ａに吸尿される。表面シート２は、例えば、ポリプロピレン、ポリオレフィン・ポリエステルにコットンを混紡した通水性を有し難通気性の不織布で形成され、装着者の皮膚との摩擦を最少になるようにしている。
【００２３】
また、表面シート２として用いる不織布は装着者の排尿部の近辺領域の肌に接する面をメッシュシートにして吸水性、吸汗性を高くし尿をメッシュシートの細かい気孔から速やかに多孔吸尿シート３の吸尿孔３ａに吸尿させるようにしている。装着者は尿を速やかに多孔吸尿シート３に吸尿させることにより排尿部近辺の濡れた感触が少なくなる。
【００２４】
ここで、表面シート２の難通気性について簡単に説明する。表面シート２の難通気性とは、ＪＩＳ  Ｌ  １０９６の６．２７．１に規定される、一般織物試験方法の通気性Ａ法に従って測定した通気性が、表面シート２の湿潤状態において、０〜１００ｃｃ／ｃｍ２／秒、好ましくは０〜５０ｃｃ／ｃｍ２／秒の範囲にあるのが望ましいものである。また、表面シート２の乾燥状態においては、２０〜２００ｃｃ／ｃｍ２／秒、好ましくは２０〜１００ｃｃ／ｃｍ２／秒、さらに好ましくは２０〜５０ｃｃ／ｃｍ２／秒の範囲にあるのが望ましい。
【００２５】
なお、湿潤状態とは下記の式で求められる表面シート２の含水率（％）が１００％以上の状態のことであり、乾燥状態とは２０℃、ＲＨ６０％の雰囲気中に十分に放置して乾燥させた状態、もしくは、いわゆる公定水分率にある状態のことである。
【００２６】
2005000364.tif 000003
さて、図１において、支持シート５に穿設された導尿口５ａには導尿チューブ１０の一端が接着されている。導尿チューブ１０は吸尿シート６と外皮シート７の貫通孔６ａ、７ａを貫通し、他端がワンタッチジョイント１３に接続される。ワンタッチジョイント１３は導尿チューブ１１の一端に取付けられており、ジョイント１３によって導尿チューブ１０の他端と導尿チューブ１１の一端が接続される。導尿チューブ１０、１１は軟質樹脂のような軟質可撓性材で形成され、ワンタッチジョイント１３は軟質材で形成される。
【００２７】
尿タンク２１は蓋２２により密閉されている。導尿チューブ１１の他端は尿タンク２１の蓋２２を貫通して尿タンク２１の気相部２１ａに位置するように配置されている。また、真空ポンプ３１に一端を連結された吸引チューブ１２の他端も尿タンク２１の蓋２２を貫通して尿タンク２１の気相部２１ａに位置するように配置されている。吸引チューブ１２も導尿チューブ１０、１１と同様に軟質可撓性材で形成されている。
【００２８】
尿タンク２１の容量は、２回分の排尿を蓄えられる５００ｍｌ程度であるが、２００ｍｌ、あるいは夜間などの長時間用として１０００ｍｌにすることもできる。
【００２９】
真空ポンプ２３はモータ２４によって駆動される。モータ２４はバッテリ２５を駆動電源とし、制御基板２６に搭載された制御装置により制御される。真空ポンプ２３の体格は径が３０ｍｍ×７０ｍｍ程で小さく、また、バッテリ２５の電圧は６Ｖ程度である。
【００３０】
表面シート２に尿が排尿されたことを検知する尿センサ９は排尿により電気的に導通する。尿センサ９は電気導体で、抵抗値の変化により装着者の排尿を検知する。尿センサ９で検知した尿検知信号は信号線１４、１５を介して真空ポンプ２３を制御する制御基板２６に加えられる。信号線１４、１５はワンタッチジョイント１６によって接続されている。
【００３１】
この構成において、尿レシーバ１は装着者（図示せず）の下着内に表面シート２が排尿部に接触するように装着される。尿タンク２１、真空ポンプ２３、モータ２４などは装着者が携帯したり、装着者がベッドに寝ている場合にはベッドの上や下に載置される。
【００３２】
この状態で装着者が排尿すると、尿レシーバ１に排尿された尿は表面シート（不織布）２に吸収される。表面シート２に尿が含まれると、表面シート２の繊維間が尿により埋められる。表面シート２に尿が吸収されると、尿センサ９が電気的に導通し尿検知信号を制御基板２６に加える。制御基板２６に搭載されている制御装置はモータ２４を起動させ真空ポンプ２３を駆動する。
【００３３】
真空ポンプ２３の駆動により尿タンク２１内の空気が排気されると、吸尿空間形成シート４内の吸尿空間の空気圧が低下し多孔吸尿シート３の多数の吸尿孔３ａに負圧が生じる。表面シート２は難通気性、外皮シート５は非通気性であり、吸尿空間形成シート４内の吸尿空間全体の圧力が効率良く低下する。
【００３４】
吸尿空間形成シート４内の吸尿空間が負圧になると全ての吸尿孔３ａに一様な吸引力を生じさせることができる。そのため、導尿口５ａから離れた位置の吸尿孔３ａからも吸尿空間に尿を引き込むことができる。吸尿空間形成シート４の吸尿空間４Ａには図７に示すように繊維質材４ａの間隙に尿２０（横線ハッチングで図示）が流入し太線矢印のように流れる。吸尿空間形成シート４内に吸尿された尿は負圧による吸引力により導尿チューブ１０に吸引される。
【００３５】
多孔吸尿シート３の吸尿孔３ａは、孔の数と径の大きさにより、吸尿空間を適切な負圧に保ち、多孔吸尿シート３に接している表面シート２の広い範囲から一様な吸引力で尿を吸引空間に取り込むように構成されている。すなわち、多孔吸尿シート３は吸尿空間形成シート４内の吸尿空間全体を均一に負圧にするために設けられている。多孔吸尿シート３がないと、導尿口５ａ（導尿チューブ１０）の周囲に集中して尿が導尿チューブ１０に取込まれ尿の回収効率が低下する。
【００３６】
吸尿チューブ１０に吸引された尿は負圧によって導尿チューブ１１を介して尿タンク２１に導かれ蓄えられる。尿タンク２１に蓄えられた尿はワンタッチジョイント１３により導尿チューブ１０と１１の接続を外すと共にワンタッチジョイント１６により信号線１４、１５の接続を外し、尿タンク２１を含む自動排尿処理装置本体を運んで廃棄する。尿タンク２１に蓄えられた尿は、尿タンク２１から蓋２２を取外して、尿タンク２１を運んで廃棄することもできる。
【００３７】
なお、尿レシーバ１は約１日使用後あるいは排便などで汚れた場合には、ジョイント１３、１６により導尿チューブ１０と尿センサ９の接続を外し尿レシーバ１を廃棄して、新しい尿レシーバ１を装着者に装着する。
【００３８】
このようにして装着者の排尿を処理するのであるが、本発明の尿レシーバ１は多孔吸尿シート３と支持シート５の間に吸尿空間形成シート４を配置し多孔吸尿シート３に穿設した多数の吸尿孔３ａから尿を吸引し、導尿チューブ１０、１１を介して密閉されている尿タンク２１に真空ポンプ２３により尿を導くようにしている。このため、真空ポンプ２３の吸引力が小さくても尿回収率を高くすることができ。
【００３９】
このように、本発明に用いる尿レシーバは表面シートに排泄された尿を多孔吸尿シートに設けた多数の吸尿孔により吸引しているので、尿レシーバからの尿回収率が向上し尿レシーバの残尿量を低減できる。尿の回収率が向上すると吸引力の小さい小容量の真空ポンプで吸尿できる。したがって、尿レシーバが装着者に不快感を与えることなく尿を回収でき、その上、装置を小型かつ軽量化することができる。
【００４０】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【００４１】
図８に尿レシーバ１に接続される導尿チューブ１０の他の例を示す。
【００４２】
図８の導尿チューブ１０が上述の実施例の導尿チューブと異なるところは、導尿チューブ１０のチューブ外殻１０Ａの内部に空間保持材１０Ｂを配置したことである。チューブ外殻１０Ａは非通水性のビニールのような軟質素材で形成しても装着者の体重によって潰れることなく吸引空間を確保できる。また、上述の実施例における非通水性のゴムまたは軟質樹脂のような軟質可撓性材でも装着者の体重で潰れない程度の剛性が必要であるが、図８の導尿チューブ１０は更に柔軟性を高めることができため、装着者の違和感を軽減できる。
【００４３】
以上のように、本発明は尿レシーバからの尿回収率を向上させ尿レシーバの残尿量を低減できる。尿の回収率が向上すると吸引力の小さい小容量の真空ポンプで収尿材から吸尿できることになる。したがって、尿レシーバが装着者に不快感を与えることなく尿を回収でき、装置を小型かつ軽量化することができる。
【００４４】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【００４５】
さらに、上述の実施例は支持シートに縁片を形成して尿の横漏れを防止しており、外皮シートに設けたギャザーと共に尿の横漏れを２重に防止することができる。ただし、支持シートに縁片を形成しなくても実用に供し得ることは明らかなことである。
【００４６】
なお、上述の実施例は表面シートが難通気性、支持シートが非通気性としているが、多孔吸尿シートの吸尿孔を負圧にすれば同様な効果が得られ若干の通気性があっても良いことは勿論のことである。
【００４７】
【発明の効果】
本発明は尿レシーバからの尿回収率を向上させ尿レシーバの残尿量を低減できるので、小容量の真空ポンプにより吸尿でき尿レシーバが装着者に不快感を与えることなく尿を回収でき、装置を小型かつ軽量化することができる。
【００４８】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【図面の簡単な説明】
【図１】本発明の一実施例を示す全体構成図である。
【図２】尿レシーバの上面観の一例詳細構成図である。
【図３】尿レシーバの底面観の一例詳細構成図である。
【図４】尿レシーバの分解斜視図である。
【図５】図２のＡ−Ａ断面図である。
【図６】尿レシーバを構成する支持シートの拡大平面図である。
【図７】尿レシーバの説明図である。
【図８】導尿チューブの他の例を示す構成図である。
【符号の説明】
１…尿レシーバ、２…表面シート、３…多孔吸尿シート、３ａ…吸尿孔、４…吸尿空間形成シート、５…支持シート、５ａ…導尿口、５ｂ…凹溝、５ｃ…縁片、６…吸尿シート、７…外皮シート、８…ギャザー、９…尿センサ、１０、１１…導尿チューブ、１２…吸引チューブ１１、１３、１６…ワンタッチジョイント、１４、１５…信号線、２１…尿タンク、２２…尿タンク蓋、２３…真空ポンプ、２４…モータ、２５…バッテリ、２６…制御基板。
【図１】
2005000364.tif 000004
【図２】
2005000364.tif 000005
【図３】
2005000364.tif 000006
【図４】
2005000364.tif 000007
【図５】
2005000364.tif 000008
【図６】
2005000364.tif 000009
【図７】
2005000364.tif 000010
【図８】
2005000364.tif 000011